(57)【要約】  【課題】本発明は、同一の周波数帯域に混在して放送されたディジタル／アナログ放送信号を各々受信するに際して、入力される選局命令がアナログ放送信号選局用にのみ適合されたものであっても、当該選局命令を用いてディジタル放送信号も適切に選局することが可能なチューナ装置を提供することを目的としている。  【解決手段】本発明のチューナ装置は、アナログ放送信号のチャンネル選局用に適合された外部選局命令に基づいて構築される仮想チャンネル空間に、アナログ放送信号の物理チャンネルだけでなく、ディジタル放送信号の物理チャンネルをも割り当てるように、前記外部選局命令を、各仮想チャンネル毎に、アナログ放送信号のチャンネル選局用に適合された第１内部選局信号、或いは、ディジタル放送信号のチャンネル選局用に適合された第２内部選局信号のいずれかに変換する選局命令変換手段を有して成る構成としている。【選択図】      図２
2006340031.tif 000002
【特許請求の範囲】
【請求項１】
異なる第１、第２の放送方式により、同一の周波数帯域に混在して放送された第１、第２放送信号を各々受信する第１、第２チューナ部と；第２放送信号のチャンネル選局用に適合された外部選局命令に基づいて構築される仮想チャンネル空間に、第２放送信号の物理チャンネルだけでなく、第１放送信号の物理チャンネルをも割り当てるように、装置外部から入力される外部選局命令を、各仮想チャンネル毎に、第１放送信号のチャンネル選局用に適合された第１内部選局信号、或いは、第２放送信号のチャンネル選局用に適合された第２内部選局信号のいずれかに変換する選局命令変換手段と；を有して成ることを特徴とするチューナ装置。
【請求項２】
前記選局命令変換手段は、前記外部選局命令と第１、第２内部選局命令とが各仮想チャンネル毎に関連付けられた選局命令変換テーブルを格納するメモリ部と；前記選局命令変換テーブルに基づいて前記外部選局命令を第１、第２内部選局命令のいずれかに変換し、それを第１、第２チューナ部の対応する方に送出する選局制御部と；を有して成ることを特徴とする請求項１に記載のチューナ装置。
【請求項３】
第１、第２放送信号について受信可能な物理チャンネルを検索する手段と；前記仮想チャンネル空間に、上記の受信可能な物理チャンネルをその周波数順及び／またはその放送方式毎に再配列するように、前記選局命令変換テーブルを生成する手段と；を有して成ることを特徴とする請求項２に記載のチューナ装置。
【請求項４】
第１、第２チューナ部で復調される映像信号に所定の信号処理を施し、前記仮想チャンネル空間の配列内容、及び／または、データ放送の配信内容を本来の映像に合成して出力する映像合成手段を有して成ることを特徴とする請求項２または請求項３に記載のチューナ装置。
【請求項５】
前記データ放送の配信内容は、番組表及び／または現在時刻であることを特徴とする請求項４に記載のチューナ装置。
【請求項６】
前記選局命令変換手段は、所定の仮想チャンネルに、前記映像合成手段による情報表示機能を割り当てるように、前記外部選局命令を前記映像合成手段への情報表示命令に変換することを特徴とする請求項４または請求項５に記載のチューナ装置。
【請求項７】
駆動が必要とされるチューナ部については、その電力供給を行う一方、駆動が必要とされていないチューナ部については、その電力供給を遮断するように、第１、第２チューナ部への電力供給を制御する電力供給制御部を有して成ることを特徴とする請求項１〜請求項６のいずれかに記載のチューナ装置。
【請求項８】
装置外部のモニタ装置から前記外部選局命令を無線受信する一方、第１、第２チューナ部で得られた第１、第２放送信号を前記モニタ装置に対して無線送信する無線通信部を有して成ることを特徴とする請求項１〜請求項７のいずれかに記載のチューナ装置。
【請求項９】
第１放送方式はディジタル放送方式であり、第２放送方式はアナログ放送方式であることを特徴とする請求項１〜請求項８のいずれかに記載のチューナ装置。
【発明の詳細な説明】
【技術分野】
【０００１】
本発明は、異なる第１、第２の放送方式により、同一の周波数帯域に混在して放送された第１、第２放送信号を受信するチューナ装置に関するものであり、特に、ディジタル／アナログ両方式のテレビジョン放送を受信するテレビジョン受信機に関するものである。
【背景技術】
【０００２】
近年、チューナ装置とモニタ装置（液晶ディスプレイやプラズマディスプレイなど）とが互いに分離されたセパレート型のテレビジョン放送受信機が普及し始めている。このようなセパレート型のテレビビジョン放送受信機は、アンテナ線やＡＶ［Audio/Visual］機器配線などの雑多な配線接続をＡＶコントローラとなるチューナ装置に全て集約し、モニタ装置への配線数を削減することができるので、モニタ装置周辺の美観を損ねることがなく、また、その配置レイアウトの自由度を高めることが可能となる。
【０００３】
なお、従来より、セパレート型の地上アナログテレビジョン放送受信機の多くは、図６に示すように、リモートコントローラＤからの各種ユーザ操作（選局操作を含む）をモニタ装置Ｂに設けられたリモコン受信部Ｂ５で受け付ける構成とされており、モニタ装置Ｂのコントロール部Ｂ４は、上記のユーザ操作に応じてモニタ装置Ｂ各部の統括制御（映像出力部Ｂ１の画質調整、音声出力部Ｂ２の音量調節、及び、受信信号処理部Ｂ３の信号処理制御など）を行うほか、ユーザの選局操作に応じた選局命令ａを生成してチューナ装置Ｘに送出する構成とされていた。
【０００４】
一方、チューナ装置Ｘ（フロントエンドと呼ばれる前段処理部）は、アナログチューナ素子Ｘ１や音声処理部Ｘ２を有して成り、モニタ装置Ｂのコントロール部Ｂ４から入力される選局命令ａに基づいて、アンテナＣで受信された地上アナログテレビジョン放送信号の選局処理や音声処理を行う構成とされていた。
【０００５】
また、最近では、現行の地上アナログテレビジョン放送と並行して、新たに地上ディジタルテレビジョン放送が開始されたことに伴い、上記チューナ装置として、６［ＭＨｚ］セパレーションで放送されるディジタル／アナログ両放送方式の地上テレビジョン放送信号を各々受信可能なものも種々開示・提案されている（例えば、特許文献１を参照）。
【０００６】
その他、本願発明に関連のある従来技術としては、仮想チャンネルテーブルの設定機能（いわゆるプリセット機能）を備えた放送受信装置であって、チャンネル単位の視聴履歴を管理して、新規のプリセット設定時により選択する機会の少ないチャンネルをプリセットから外すことにより、多チャンネル放送の選局における利用者の負担を軽減することが可能な放送受信装置が開示・提案されている（例えば、特許文献２を参照）。
【特許文献１】特開２００３−３０９７７６号公報
【特許文献２】特開平９−１１６３９０号公報
【発明の開示】
【発明が解決しようとする課題】
【０００７】
確かに、図６に示したテレビジョン放送受信機であれば、チューナ装置Ｘとモニタ装置Ｂとが互いに分離されて成るセパレート型でありながら、広く一般に普及しているチューナ一体型のテレビジョン放送受信機と同様、モニタ装置Ｂに対して選局操作を行うことができるので、ユーザにとって操作の違和感がなく、非常に使い勝手がよい。
【０００８】
また、既設のチューナ装置Ｘに代えて、上記のディジタル／アナログ両放送方式に対応したチューナ装置を接続すれば、現行の地上アナログテレビジョン放送だけでなく、新たに開始された地上ディジタルテレビジョン放送も視聴することも可能となる。
【０００９】
しかしながら、従来の地上アナログテレビジョン放送受信機では、モニタ装置Ｂからチューナ装置Ｘへの選局命令ａとして、地上アナログテレビジョン放送信号の選局用に適合された受信周波数情報（一般にはアナログチューナ素子Ｘ１の内部局部発振信号を制御するＰＬＬ［Phase Locked Loop］回路のプリスケーラ値）しか送出されないのに対し、ディジタル／アナログ両放送方式に対応した従来のチューナ装置は、その選局命令として、地上アナログテレビジョン放送信号の選局用に適合された受信周波数情報のほか、地上ディジタルテレビジョン放送信号の選局用に適合された受信周波数情報についても、個別に入力を必要とする構成とされていた。
【００１０】
そのため、アナログ放送方式のみに対応したチューナ装置Ｘに代えて、ディジタル／アナログ両放送方式に対応した従来のチューナ装置をモニタ装置Ｂに接続した場合、既設の選局命令ａが地上ディジタルテレビジョン放送信号の選局用として適合せず、モニタ装置Ｂを含めたテレビジョン放送受信機のセット全体を入れ替えない限り、モニタ装置Ｂから地上ディジタルテレビジョン放送信号の選局操作を行うことができない、という課題があった。すなわち、地上ディジタルテレビジョン放送信号の選局操作は、新設のチューナ装置に対して直接行わねばならず、ユーザにとって操作性が悪い上、テレビジョン放送受信機の配置レイアウトにも制約が生じる、という課題があった。
【００１１】
また、図６に示したテレビジョン放送受信機においては、チューナ装置Ｘに対して、コントロール部Ｂ４から限定された情報（アナログチューナ素子Ｘ１に与える選局命令や、音声の切換命令など）しか送られておらず、放送波に載せて送られてくる映像／音声以外のデータ (現在時刻情報や番組表情報など）を充分に活用することできなかった。
【００１２】
本発明は、上記の問題点に鑑み、異なる第１、第２の放送方式により、同一の周波数帯域に混在して放送された第１、第２放送信号を各々受信するに際して、入力される選局命令が第２放送信号選局用にのみ適合されたものであっても、当該選局命令を用いて第１放送信号も適切に選局することが可能なチューナ装置を提供することを目的としている。
【課題を解決するための手段】
【００１３】
上記の目的を達成するために、本発明に係るチューナ装置は、異なる第１、第２の放送方式により、同一の周波数帯域に混在して放送された第１、第２放送信号を各々受信する第１、第２チューナ部と；第２放送信号のチャンネル選局用に適合された外部選局命令に基づいて構築される仮想チャンネル空間に、第２放送信号の物理チャンネルだけでなく、第１放送信号の物理チャンネルをも割り当てるように、装置外部から入力される外部選局命令を、各仮想チャンネル毎に、第１放送信号のチャンネル選局用に適合された第１内部選局信号、或いは、第２放送信号のチャンネル選局用に適合された第２内部選局信号のいずれかに変換する選局命令変換手段と；を有して成る構成（第１の構成）とされている。このような構成とすることにより、第１、第２放送信号を各々受信するに際して、入力される選局命令が第２放送信号の選局用にのみ適合されたものであっても、当該選局命令を用いて第１放送信号も適切に選局することが可能となる。
【００１４】
なお、上記第１の構成から成るチューナ装置において、前記選局命令変換手段は、前記外部選局命令と第１、第２内部選局命令とが各仮想チャンネル毎に関連付けられた選局命令変換テーブルを格納するメモリ部と；前記選局命令変換テーブルに基づいて前記外部選局命令を第１、第２内部選局命令のいずれかに変換し、それを第１、第２チューナ部の対応する方に送出する選局制御部と；を有して成る構成（第２の構成）にするとよい。このような構成とすることにより、起動のたびに外部選局命令と第１、第２内部選局命令との関連付けを新たに設定し直す必要がなくなるので、選局命令の変換処理を容易かつ迅速に行うことが可能となる。
【００１５】
また、上記第２の構成から成るチューナ装置は、第１、第２放送信号について受信可能な物理チャンネルを検索する手段と；前記仮想チャンネル空間に、上記の受信可能な物理チャンネルをその周波数順及び／またはその放送方式毎に再配列するように、前記選局命令変換テーブルを生成する手段と；を有して成る構成（第３の構成）にするとよい。このような構成とすることにより、複雑なユーザ操作を要することなく、かつ、ユーザにとって利便性の高いチャンネル配列となるように、外部選局命令と第１、第２内部選局命令との関連付けを行うことが可能となる。
【００１６】
また、上記第２或いは第３の構成から成るチューナ装置は、第１、第２チューナ部で復調される映像信号に所定の信号処理を施し、前記仮想チャンネル空間の配列内容（仮想チャンネル表）、及び／または、データ放送の配信内容を本来の映像に合成して出力する映像合成手段を有して成る構成（第４の構成）にするとよい。このような構成とすることにより、後段のモニタ装置では、本来の映像に加えて、種々の付加情報を表示することが可能となる。
【００１７】
なお、上記第４の構成から成るチューナ装置において、前記データ放送の配信内容は、番組表及び／または現在時刻である構成（第５の構成）にするとよい。このような構成とすることにより、データ放送の配信内容を有効に利用することが可能となる。特に、番組表の表示機能は、ディジタル／アナログ混成の多チャンネル時代に即した利便性の高い機能となる。
【００１８】
また、上記第４或いは第５の構成から成るチューナ装置において、前記選局命令変換手段は、所定の仮想チャンネルに、前記映像合成手段による情報表示機能を割り当てるように、前記外部選局命令を前記映像合成手段に対する情報表示命令に変換する構成（第６の構成）にするとよい。このような情報表示機能の割り当てを行うことにより、後段に接続されるモニタ装置の構成や機能は全く変更しないまま、ユーザは、既存の選局機能を用いて所定のチャンネルを指定するだけで、データ放送の配信内容（映像／音声以外の番組表や現在時刻など）やプリセットされた仮想チャンネル表を表示することが可能となる。
【００１９】
また、上記第１〜第６いずれかの構成から成るチューナ装置は、駆動が必要とされるチューナ部については、その電力供給を行う一方、駆動が必要とされていないチューナ部については、その電力供給を遮断するように、第１、第２チューナ部への電力供給を制御する電力供給制御部を有して成る構成（第７の構成）にするとよい。このような構成とすることにより、余分な電力消費を抑えることができる上、第１、第２チューナ部相互間の電磁干渉（機内妨害）も防止することが可能となる。
【００２０】
また、上記第１〜第７いずれかの構成から成るチューナ装置は、装置外部のモニタ装置から前記外部選局命令を無線受信する一方、第１、第２チューナ部で得られた第１、第２放送信号を前記モニタ装置に対して無線送信する無線通信部を有して成る構成（第８の構成）にするとよい。このような構成とすることにより、チューナ装置とモニタ装置を完全に分離して成るセパレート型のテレビビジョン放送受信機を構築することが可能となる。従って、アンテナ線やＡＶ機器配線などの雑多な配線接続をＡＶコントローラとなるチューナ装置に集約し、モニタ装置への配線数を削減することができるので、モニタ装置周辺の美観を損ねることがなく、また、配置レイアウトの自由度を高めることが可能となる。
【００２１】
また、上記第１〜第８いずれかの構成から成るチューナ装置において、第１放送方式はディジタル放送方式であり、第２放送方式はアナログ放送方式である構成（第９の構成）にするとよい。ディジタル／アナログ放送信号を各々受信するに際して、入力される選局命令がアナログ放送信号の選局用にのみ適合されたものであっても、当該選局命令を用いてディジタル放送信号も適切に選局することが可能となる。
【発明の効果】
【００２２】
上記した通り、本発明に係るチューナ装置であれば、第１、第２放送信号を各々受信するに際して、入力される選局命令が第２放送信号の選局用にのみ適合されたものであっても、当該選局命令を用いて第１放送信号も適切に選局することが可能となる。
【発明を実施するための最良の形態】
【００２３】
以下では、ディジタル／アナログ両方式のテレビジョン放送を受信することが可能なテレビジョン放送受信機に本発明を適用した場合を例示して、本発明の詳細な説明を行う。
【００２４】
図１は本発明に係るテレビジョン放送受信機の第１実施形態を示すブロック図である。本図に示すように、本実施形態のテレビジョン放送受信機は、チューナ装置Ａとモニタ装置Ｂ（液晶ディスプレイやプラズマディスプレイなど）とが互いに分離されて成るセパレート型である。なお、本図中において、実線矢印は、受信信号の伝達経路を示しており、破線矢印は、選局命令ａ〜ｃ及び制御命令ｄ〜ｆの伝達経路を示している。また、先端が黒塗り三角とされた実線矢印は、駆動電力の供給経路を示しており、先端が白抜き三角とされた実線矢印は、受信状態検出信号ｘ、ｙの伝達経路を示している。
【００２５】
チューナ装置Ａは、電源部Ａ１と、アンテナ切換部Ａ２と、ディジタルチューナ素子Ａ３と、アナログチューナ素子Ａ４と、信号系統切換部Ａ５と、電力供給制御部Ａ６と、マイクロプロセッサＡ７と、メモリ部Ａ８と、同期分離部Ａ９と、を有して成る。
【００２６】
電源部Ａ１は、商用交流電圧（例えば、交流１００［Ｖ］）から装置各部の直流駆動電圧（例えば、直流３［Ｖ］、直流５「Ｖ」、及び、直流２４［Ｖ」）を生成するマルチ出力型のダウンコンバータである。
【００２７】
アンテナ切換部Ａ２は、マイクロプロセッサＡ７からの制御命令ｄに基づいて、アンテナＣで得られた受信信号をディジタルチューナ素子Ａ３及びアナログチューナ素子Ａ４のいずれか一方に選択出力する手段である。
【００２８】
ディジタルチューナ素子Ａ３は、マイクロプロセッサＡ７から入力される第１内部選局命令ｂ（ディジタルテレビジョン放送信号の選局用に適合された選局命令）に基づいて、アンテナ切換部Ａ２から入力された受信信号に所定の信号処理を施す手段である。その内部回路構成についてより詳細に述べると、ディジタルチューナ素子Ａ３は、図４に示すように、受信信号から目的の周波数帯域信号を抽出して中間周波数信号ＴＳに周波数変換する高周波選局部Ａ３１と、高周波選局部Ａ３１で得られた中間周波数信号ＴＳにディジタル復調処理を施すＯＦＤＭ［Orthogonal Frequency Division Multiplex］復調処理部Ａ３２と、ＯＦＤＭ復調処理部Ａ３２で得られた復調信号を音声信号と映像信号に分離変換する分離処理部Ａ３３と、を１チップＩＣにパッケージングして成る構成とされている。また、ディジタルチューナ素子Ａ３は、ディジタルテレビジョン放送信号の受信状態検出信号ｘとして、ＭＰＥＧ［Moving Picture Experts Group］ロック信号を生成し、当該信号をマイクロプロセッサＡ７に送出する機能も具備している。
【００２９】
アナログチューナ素子Ａ４は、マイクロプロセッサＡ７からの第２内部選局命令ｃ（アナログテレビジョン放送信号の選局用に適合された選局命令）に基づいてアンテナ切換部Ａ２から入力された受信信号に所定の信号処理を施す手段である。その内部回路構成についてより詳述すると、アナログチューナ素子Ａ４は、受信信号から目的の周波数帯域信号を抽出して中間周波数信号に周波数変換するチューナ回路部と、当該チューナ回路部で得られた中間周波数信号を音声信号と映像信号に分離変換する音声映像処理部と、を１チップＩＣにパッケージングして成る構成とされている。
【００３０】
信号系統切換部Ａ５は、マイクロプロセッサＡ７からの制御命令ｅに基づいて、ディジタルチューナ素子Ａ３及びアナログチューナ素子Ａ４のいずれか一方で得られた音声信号と映像信号をモニタ装置Ｂの受信信号処理部Ｂ３に選択出力する手段である。
【００３１】
電力供給制御部Ａ６は、電源部Ａ１からディジタルチューナ素子Ａ３及びアナログチューナ素子Ａ４への各電力供給経路を閉結／開放するスイッチ手段を有して成り、マイクロプロセッサＡ７からの制御命令ｆに基づいて、ディジタルチューナ素子Ａ３及びアナログチューナ素子Ａ４への電力供給を制御する手段である。具体的に述べると、電力供給制御部Ａ６では、駆動が必要とされるチューナ素子については、その電力供給を行う一方、駆動が必要とされていないチューナ素子については、その電力供給を遮断するように、ディジタル／アナログ両チューナ素子Ａ３、Ａ４への電力供給が制御される。このような構成とすることにより、余分な電力消費を抑えることができる上、ディジタル／アナログ両チューナ素子Ａ３、Ａ４相互間の電磁干渉（機内妨害）も防止することが可能となる。
【００３２】
マイクロプロセッサＡ７は、制御命令ｄ〜ｆを送出して装置各部の動作制御を行う統括制御部としての機能を備えるほか、後述する選局命令変換テーブルに基づいて、モニタ装置Ｂ（コントロール部Ｂ４）からの外部選局命令ａを第１、第２内部選局命令ｂ、ｃのいずれかに変換し、それをディジタルチューナ素子Ａ３及びアナログチューナ素子Ａ４の対応する方に送出する選局制御部としての機能も備えている。上記した外部選局命令ａは、アナログチューナ素子Ａ４の内部局部発振信号を制御するＰＬＬ回路のプリスケーラ値であり、地上波アナログテレビジョン放送信号では、１チャンネル〜６２チャンネル、ケーブルテレビジョン放送信号では、Ｃ１３チャンネル〜Ｃ６２チャンネルのそれぞれのチャンネルにつき、対応する１種類のデータが割り当てられている。なお、マイクロプロセッサＡ７には、上記の他にも、本願発明に関わる様々な機能が具備されているが、その諸動作については、後ほど詳細な説明を行うことにする。
【００３３】
メモリ部Ａ８は、フラッシュメモリ等の書換え可能な不揮発性記憶素子から成り、モニタ装置Ｂから入力される外部選局命令ａと第１、第２内部選局命令ｂ、ｃとが各仮想チャンネル毎に関連付けられた選局命令変換テーブルを格納する手段である。このような構成とすることにより、起動のたびに外部選局命令ａと第１、第２内部選局命令ｂ、ｃとの関連付けを新たに設定し直す必要がなくなるので、選局命令の変換処理を容易かつ迅速に行うことが可能となる。なお、図１中では、メモリ部Ａ８を独立したブロックとして図示したが、本発明の構成はこれに限定されるものではなく、マイクロプロセッサＡ７内のＲＯＭ［Read Only Memory］などを流用しても構わない。また、選局命令変換テーブルの内容については、後ほど詳細に説明する。
【００３４】
同期分離部Ａ９は、アナログテレビジョン放送信号の受信状態検出信号ｙとして、アナログコンポジット映像信号から分離される水平／垂直同期信号に基づいて同期判別信号を生成し、当該信号をマイクロプロセッサＡ７に送出する手段である。
【００３５】
一方、モニタ装置Ｂは、先出の図６に示した従来構成と同様、リモートコントローラＤからの各種ユーザ操作（選局操作を含む）をリモコン受信部Ｂ５で受け付ける構成とされており、コントロール部Ｂ４は、上記のユーザ操作に応じてモニタ装置Ｂ各部の統括制御（映像出力部Ｂ１の画質調整、音声出力部Ｂ２の音量調節、及び、受信信号処理部Ｂ３の信号処理制御など）を行うほか、ユーザの選局操作に応じた外部選局命令ａを生成してチューナ装置Ａに送出する構成とされている。なお、上記の外部選局命令ａとしては、アナログテレビジョン放送信号の選局用に適合された受信周波数情報のみが送出される。すなわち、本実施形態のテレビジョン放送受信機では、その映像／音声出力手段として、既設のモニタ装置Ｂがそのまま流用されている。
【００３６】
上記構成から成るテレビジョン放送受信機の動作に関し、まず、仮想チャンネルの設定機能（いわゆるプリセット機能）について詳細な説明を行う。
【００３７】
チューナ装置Ａの初回起動時等において、マイクロプロセッサＡ７は、仮想チャンネルのプリセットを初期化すべく、ディジタル／アナログ両方式のテレビジョン放送信号を周波数順にスイープし、各物理チャンネルの受信状態検出や放送方式（ディジタル／アナログ）の種別抽出を行うことで、受信可能な物理チャンネルを検索する。なお、上記の受信状態検出は、ＭＰＥＧロック信号から成る受信状態検出信号ｘや、同期判別信号から成る受信状態検出信号ｙに基づいて行われる。
【００３８】
受信可能な物理チャンネルの検索終了後、マイクロプロセッサＡ７は、図２に示すように、外部選局命令ａによって構築される仮想チャンネル空間に、上記の受信可能な物理チャンネルをその周波数順及び／またはその放送方式毎に再配列するように、前記選局命令変換テーブルを生成する。なお、図２に示す再配列動作の場合、仮想チャンネル１〜６には、アナログテレビジョン放送信号が一纏めにされ、かつ、その周波数順に再配列されている。また、仮想チャンネル７〜９には、ディジタルテレビジョン放送信号が一纏めにされ、かつ、その周波数順に再配列されている。
【００３９】
このとき、上記の選局命令変換テーブルは、図３に示した内容となる。例えば、仮想チャンネル「１」を示す外部選局命令ａに対しては、物理チャンネル「２」（アナログ放送方式の第１公共放送）を示す第２内部選局命令ｃが関連付けられ、仮想チャンネル「７」を示す外部選局命令ａに対しては、物理チャンネル「２２」（ディジタル放送方式の民放Ｄ）を示す第１内部選局命令ｂが関連付けられる。
【００４０】
このような物理チャンネルの再配列を行うことにより、複雑なユーザ操作を要することなく、かつ、ユーザにとって利便性の高いチャンネル配列となるように、外部選局命令ａと第１、第２内部選局命令ｂ、ｃとの関連付けを行うことが可能となる。
【００４１】
次に、上記の選局命令変換テーブルに基づくチャンネル選局動作について、詳細に説明する。モニタ装置Ｂからチューナ装置Ａに対して外部選局命令ａが送出されると、マイクロプロセッサＡ７では、当該外部選局命令ａの受信処理が行われ、次いで、その選局命令変換処理が行われる。具体的に述べると、マイクロプロセッサＡ７では、メモリ部Ａ８の選局命令変換テーブルに基づいて、モニタ装置Ｂからの外部選局命令ａが第１内部選局命令ｂ或いは第２内部選局命令ｃに変換され、得られた内部選局命令がディジタルチューナ素子Ａ３或いはアナログチューナ素子Ａ４に対して送出される。
【００４２】
このように、既存機能であるプリセット機能を利用して、外部選局命令ａに基づいて構築される仮想チャンネル空間に、アナログテレビジョン放送信号の物理チャンネルだけでなく、ディジタルテレビジョン放送信号の物理チャンネルをも割り当てる構成であれば、ディジタル／アナログ両放送方式のテレビジョン放送信号を各々受信するに際して、入力される外部選局命令ａがアナログテレビジョン放送信号の選局用にのみ適合されたものであっても、当該外部選局命令ａを用いてディジタルテレビジョン放送信号も適切に選局することが可能となる。
【００４３】
従って、本発明によれば、テレビジョン放送受信機のセット全体を入替えることなく、容易にディジタルテレビジョン放送信号を受信可能なセットに拡張することができる。例えば、モニタ装置Ｂが壁に固定されたアナログテレビジョン放送受信機セット（浴室テレビなど）でディジタルテレビジョン放送信号を受信したければ、モニタ装置Ｂの構成や機能は全く変更しないまま、既存のチューナ装置を本発明のチューナ装置Ａに入れ替えるだけで足りるので、そのセット拡張作業を極めて容易に完了することが可能となる。
【００４４】
また、本実施形態のテレビジョン放送受信機において、マイクロプロセッサＡ７は、所定の仮想チャンネルに、後述する映像合成手段による情報表示機能を割り当てるように、外部選局命令ａを前記映像合成手段に対する情報表示命令に変換する構成とされている。より具体的に述べると、マイクロプロセッサＡ７は、図２に示すように、仮想チャンネル「１０」には、番組表（ＥＰＧ［Electronic Program Guide］）の表示機能を割り当て、仮想チャンネル「１１」には、現在時刻の表示機能を割り当て、さらに、仮想チャンネル「１２」には、仮想チャンネル表（図２右側の配列表）の表示機能を割り当てている。
【００４５】
このとき、先述の選局命令変換テーブルは、図３に示した内容となる。例えば、仮想チャンネル「１０」を示す外部選局命令ａに対しては、番組表の表示を指示する旨の情報表示命令が関連付けられ、仮想チャンネル「１１」を示す外部選局命令ａに対しては、現在時刻の表示を指示する旨の情報表示命令が関連付けられる。同様に、仮想チャンネル「１２」を示す外部選局命令ａに対しては、仮想チャンネル表の表示を指示する旨の情報表示命令が関連付けられる。なお、本実施形態では、後述する映像合成手段の一部機能がマイクロプロセッサＡ７によって実現されるため、上記の情報表示命令は、マイクロプロセッサＡ７自身への命令となる。
【００４６】
このような情報表示機能の割り当てを行うことにより、モニタ装置Ｂの構成や機能は全く変更しないまま、ユーザは、モニタ装置ＢやリモートコントローラＤの選局機能を用いて所定のチャンネルを指定するだけで、ディジタル放送波に付加されて放送局より送られてくるデータ放送の配信内容（映像／音声以外の番組表や現在時刻など）、或いは、プリセットされた仮想チャンネル表を表示することが可能となる。特に、番組表や仮想チャンネル表の表示機能は、ディジタル／アナログ混成の多チャンネル時代に即した利便性の高い機能となる。
【００４７】
上記の情報表示機能を実現する映像合成手段について、図４を参照しながら、現在時刻を表示する場合を例に挙げて詳細に説明する。
【００４８】
本図に示すように、本実施形態の映像合成手段は、先述したマイクロプロセッサＡ７のほか、リアルタイムクロックＡ１０と、ＯＳＤ［On-Screen Display］処理部Ａ１１と、を有して成る。
【００４９】
ディジタルチューナ素子Ａ３を構成する復調処理部Ａ３２は、復調されたディジタルテレビジョン放送信号から時刻情報を抜き出して、マイクロプロセッサＡ７に送出する。マイクロプロセッサＡ７は、当該時刻情報をリアルタイムクロックＡ１０に与え、現在時刻データの更新を行う。
【００５０】
一方、マイクロプロセッサＡ７は、仮想チャンネル「１１」を示す外部選局命令ａが入力された場合、メモリ部Ａ８の選局命令変換テーブル（図３を参照）に基づいて、当該外部選局命令ａを現在時刻の表示を指示する旨の情報表示命令と認識し、リアルタイムクロックＡ１０からのデータ読出を行う。読み出された現在時刻データは、時刻表示データとしてＯＳＤ処理部Ａ１１に送出される。
【００５１】
ＯＳＤ処理部Ａ１１は、マイクロプロセッサＡ７から入力される時刻表示データに基づいて、ディジタルチューナ素子Ａ３を構成する分離処理部Ａ３３から入力される映像信号に所定の信号処理を施すことで、本来の映像に現在時刻を示す映像を合成し、その合成映像信号をモニタ装置Ｂに向けて出力する。
【００５２】
このような構成とすることにより、ユーザは、モニタ装置ＢやリモートコントローラＤの選局機能を用いて所定のチャンネル「１１」を指定するだけで、常に正確な現在時刻の表示を行なうことができるので、非常に利便性が高い。
【００５３】
なお、上記では、現在時刻の表示機能を例に挙げて説明を行ったが、番組表の表示機能や仮想チャンネル表の表示機能についても、ＯＳＤ処理部Ａ１１を用いて同様に実現することができる。
【００５４】
最後に、本発明に係るテレビジョン放送受信機の第２実施形態についての説明を行う。なお、本実施形態のテレビジョン放送受信機は、前出の第１実施形態（図１参照）とほぼ同様の構成から成り、チューナ装置Ａとモニタ装置Ｂを有線接続ではなく、無線接続して成る点に特徴を有するものである。そこで、第１実施形態と同様の構成部分については、図１と同一の符号を付すことで説明を省略し、以下では、本実施形態の特徴部分についてのみ、詳細な説明を行うことにする。
【００５５】
本図に示すように、本実施形態のチューナ装置Ａは、モニタ装置Ｂの無線通信部Ｂ６から外部選局命令ａを無線受信する一方、ディジタルチューナ素子Ａ３若しくはアナログチューナ素子Ａ４で得られた音声信号及び映像信号をモニタ装置Ｂの無線通信部Ｂ６に対して無線送信する無線通信部Ａ１２を有して成る構成としている。なお、無線通信部Ａ１２と無線通信部Ｂ６相互間の無線通信方式としては、２．４［ＧＨｚ］帯や５［ＧＨｚ］帯の電波を用いるスペクトル拡散方式等を採用すればよい。このような構成とすることにより、チューナ装置Ａとモニタ装置Ｂを完全に分離して成るセパレート型のテレビビジョン放送受信機を構築することが可能となる。従って、アンテナ線やＡＶ機器配線などの雑多な配線接続をＡＶコントローラとなるチューナ装置Ａに全て集約し、モニタ装置Ｂへの配線数を削減することができるので、モニタ装置Ｂ周辺の美観を損ねることがなく、また、その配置レイアウトの自由度を高めることが可能となる。
【００５６】
なお、上記各実施形態では、ディジタル／アナログの地上波テレビジョン放送を受信することが可能なテレビジョン放送受信機に本発明を適用した場合を例に挙げて説明を行ったが、本発明の適用対象はこれに限定されるものではなく、異なる第１、第２の放送方式により、同一の周波数帯域に混在して放送された第１、第２放送信号を各々受信するチューナ装置全般に広く適用することが可能である。
【００５７】
また、上記各実施形態では、セパレート型のテレビジョン放送受信機に本発明を適用した場合を例示して説明を行ったが、本発明の適用対象はこれに限定されるものではなく、チューナ装置のみを換装することが可能なチューナ一体型のテレビジョン放送受信機にも適用することが可能である。
【００５８】
また、上記各実施形態では、ディジタル／アナログ両入力系統を１つずつ有して成る構成を例に挙げて説明を行ったが、本発明の構成はこれに限定されるものではなく、各入力系統を複数有し、いわゆる選択ダイバーシティ受信や合成ダイバーシティ受信が可能な構成としても構わない。
【００５９】
また、上記各実施形態では、仮想チャンネルのプリセットを自動設定する構成を例に挙げて説明を行ったが、本発明の構成はこれに限定されるものではなく、チューナ装置Ａの操作部（不図示）を用いて、ユーザが任意に仮想チャンネルのプリセットを行う構成としても構わない。
【００６０】
また、本発明の構成は、上記各実施形態のほか、発明の主旨を逸脱しない範囲で種々の変更を加えることが可能である。
【産業上の利用可能性】
【００６１】
本発明は、特に、モニタ装置とチューナ装置が互いに分離されて成るセパレート型のテレビジョン放送受信機に好適な技術である。
【図面の簡単な説明】
【００６２】
【図１】は、本発明に係るテレビジョン放送受信機の第１実施形態を示すブロック図である。
【図２】は、チャンネル再配列動作の一例を示す図である。
【図３】は、選局命令変換テーブルの一例を示す図である。
【図４】は、映像合成手段（現在時刻表示手段）の一例を示すブロック図である。
【図５】は、本発明に係るテレビジョン放送受信機の第２実施形態を示すブロック図である。
【図６】は、テレビジョン放送受信機の一従来形態を示すブロック図である。
【符号の説明】
【００６３】
Ａ    チューナ装置
Ａ１    電源部
Ａ２    アンテナ切換部
Ａ３    ディジタルチューナ素子
Ａ３１    高周波選局部
Ａ３２    ＯＦＤＭ復調処理部
Ａ３３    分離処理部
Ａ４    アナログチューナ素子
Ａ５    信号系統切換部
Ａ６    電力供給制御部
Ａ７    マイクロプロセッサ
Ａ８    メモリ部
Ａ９    同期分離部
Ａ１０    リアルタイムクロック
Ａ１１    ＯＳＤ処理部
Ａ１２    無線通信部
Ｂ    モニタ装置
Ｂ１    映像出力部
Ｂ２    音声出力部
Ｂ３    受信信号処理部
Ｂ４    コントロール部
Ｂ５    リモコン受信部
Ｂ６    無線通信部
Ｃ    アンテナ
Ｄ    リモートコントローラ
ａ    外部選局命令
ｂ    第１内部選局命令
ｃ    第２内部選局命令
ｄ〜ｆ    制御命令
ｘ、ｙ    受信状態検出信号
【図１】
2006340031.tif 000003
【図２】
2006340031.tif 000004
【図３】
2006340031.tif 000005
【図４】
2006340031.tif 000006
【図５】
2006340031.tif 000007
【図６】
2006340031.tif 000008